(57)【要約】【課題】体の不自由な者などがトイレ室内で手すりを安全に使用できる、手すりの設置構造を提供する。【解決手段】手すり１０が、便器５に隣接する少なくとも一方の壁面に沿って便器５側に近づくように延設されている。この手すり１０は、便器５側の終端部１０ａとして、便器５側より見て斜め前方に、５便器側に向けて凸湾曲した湾曲部２０を有している。【選択図】図１
2020116141.tif 000002
【特許請求の範囲】
【請求項１】
手すりが、便器に隣接する少なくとも一方の壁面に沿って前記便器側に近づくように延設されてなる、手すりの設置構造であって、
前記手すりは、前記便器側の終端部として、前記便器側より見て斜め前方に、前記便器側に向けて凸湾曲した湾曲部を有したことを特徴とする、手すりの設置構造。
【請求項２】
請求項１において、
前記手すりは、前記湾曲部の前記便器側に突出するように配された、または、前記湾曲部から下側に突出するように配された握り棒を兼ねたタオル掛けを備えていることを特徴とする、手すりの設置構造。
【請求項３】
請求項１または２において、
前記手すりの下方に、前記手すりと一体化された棚部が配されていることを特徴とする、手すりの設置構造。
【請求項４】
請求項１または２において、
前記壁面には略水平方向に延びる堀込溝が形成されており、
前記湾曲部は、前記堀込溝の溝開口よりも溝外側に突出している一方、その突出した部分を除く前記手すりの大部分は、前記堀込溝の内部空間に配されていることを特徴とする、手すりの設置構造。
【発明の詳細な説明】
【技術分野】
【０００１】
本発明は手すりを便器近傍に設置した、手すりの設置構造に関する。
【背景技術】
【０００２】
従来の手すりの設置構造として、手すりを便器に隣接する壁面に略水平方向に延びるように設けたものがある（例えば、特許文献１参照）。この文献に記載された手すりは湾曲部とカウンターとが一体とされており、便器の真横に配されたカウンターには小物等を載置できるようになっている。
【先行技術文献】
【特許文献】
【０００３】
【特許文献１】特開平１０−１８３９２８号公報
【発明の概要】
【発明が解決しようとする課題】
【０００４】
しかしながら、上記文献のものでは、カウンターがあるため湾曲部の入り口側を向く部分を把持した状態で移動を停止して、その部位を把持したまま体を回転させても、お尻が便器側を向かず、正しく便器に座れないおそれがある。
【０００５】
本発明は、上記の点を考慮し、体の不自由な者などがトイレ室内で手すりを安全に使用できる、手すりの設置構造を提供することを目的とする。
【課題を解決するための手段】
【０００６】
上記目的を達成するために、本発明の手すりの設置構造は、手すりが、便器に隣接する少なくとも一方の壁面に沿って前記便器側に近づくように延設されてなる、手すりの設置構造であって、前記手すりは、前記便器側の終端部として、前記便器側より見て斜め前方に、前記便器側に向けて凸湾曲した湾曲部を有したことを特徴とする。
【発明の効果】
【０００７】
本発明の手すりの設置構造は上述した構成とされているため、体の不自由な者などが手すりをトイレ室内で安全に使用することができる。
【図面の簡単な説明】
【０００８】
【図１】本発明の一実施形態に係る手すりの設置構造を有したトイレルームの模式的平面図である。
【図２】（ａ）は図１の手すりの一部を模式的に示した斜視図、（ｂ）は（ａ）のＡ−Ａ線矢視拡大縦断面図である。
【図３】手すりの他の第１例と第２例の説明図である。（ａ）は第１例の手すりの模式的部分斜視図、（ｂ）は（ａ）のＢ−Ｂ線矢視拡大断面図、（ｃ）は第２例の手すりの模式的部分斜視図、（ｄ）は（ｃ）に対応する正面図、（ｅ）は（ｃ）に対応する平面図である。
【図４】本発明の他の実施形態に係る手すりの設置構造の説明図である。（ａ）はこの手すりの設置構造を有したトイレルームの模式的平面図および部分拡大縦断面図、（ｂ）は（ａ）のＣ方向から見たトイレ室内の正面図、（ｃ）は（ａ）のＤ−Ｄ線矢視拡大断面図である。
【図５】本発明のさらに他の実施形態に係る手すりの設置構造の説明図である。（ａ）はこの手すりの設置構造を有したトイレルームの模式的平面図、（ｂ）は（ａ）のＥ−Ｅ線矢視拡大断面図である。
【図６】（ａ）〜（ｃ）は、手すりの他の３形状例を示す模式的平面図である。
【発明を実施するための形態】
【０００９】
以下に、本発明の実施の形態について、添付図面を参照しながら説明する。
まず、本明細書に記載した実施形態に係る、手すりの設置構造の基本構成について記述する。
【００１０】
実施形態に係る手すりの設置構造は、手すり１０が、便器５に隣接する少なくとも一方の壁面に沿って便器５側に近づくように延設されてなるものである。手すり１０は、図１、図４〜図６の各図に示してあるように、便器５により近い部位に終端部１０ａがあり、その終端部１０ａには、便器５側より見て斜め前方に、便器５側に向けて凸湾曲した湾曲部２０を有している。なお、便器５は便蓋５ｂが開き、便座５ａが上方に露出したものが図しされている。
【００１１】
以下、各実施形態について詳述する。以下の各実施形態はいずれも、トイレ室１が平面視で長方形状となる空間を有している。便器５および手すり１０の配設位置は、各図間でおおむね同様とされる。すなわち、図１、図４〜図６の各図に示すように、トイレ空間の短辺壁面２に便器５が配設され、その隣接する、便器５側から見て左側の長辺壁面３における便器５より離れた部位に入り口７が設けてある。また、手すり１０は便器５を設けた短辺壁面２に対向する短辺壁面２から、入り口７を設けた長辺壁面３に対向する長辺壁面３の中途まで、壁面に沿いながら略水平方向に延びるように固定されている。以下、各実施形態について順に説明する。
【００１２】
図１に示した手すり１０は、木質材や合成樹脂材、金属材などより製され、長尺棒状とされ、短辺壁面２に沿った短辺部１１と長辺壁面３に沿った長辺部１２とを有した折曲形状とされている。また、手すりの終端部１０ａである、長辺部１２の便器に近いほうの端部には略半円状に湾曲した湾曲部２０が形成されている。
【００１３】
この手すり１０は、短辺部１１において入り口７側の端部および長辺壁面３側の近傍部の２箇所が固定され、長辺部１２において短辺壁面２側の近傍部および湾曲部２０の終端２１の２箇所が壁面に固定されている。この手すり１０の中間部においては、壁面に対し接続部１０ｂを介して固定されればよい。
【００１４】
また、湾曲部２０と長辺壁面３との間には、湾曲部２０の形状に沿った外形をなす手洗いボウル１６が長辺壁面３に固定され配されている。なお、手すり１０の短辺部１１と長辺部１２と湾曲部２０とは分離したものとしてもよく、個別に壁面に固定、支持されたものであってもよい。
【００１５】
湾曲部２０は、手すり１０の終端部１０ａに配され、その配設位置が便器５側より見て右斜め前方とされ、便器５を向く部位（図１中のクロスハッチングを付した部位Ｐ）が凸湾曲した形状とされる。また、湾曲部２０の終端２１は長辺壁面３近づくように延び、壁面に当接、固定されている。
【００１６】
例えば体の不自由な者などは、トイレ室１に入り口７より入り、図１の白抜き矢印に示すように、手すり１０に沿って、左手で手すり１０を把持し、把持位置をずらしながら歩行し、図１中の湾曲部２０のＰ部を把持した状態で停止するまで移動する。そして、手すり１０のＰ部まで移動することで、お尻が自然に便器５側（図１の塗りつぶし矢印の方向）を向くように体が回転し、その位置でかがみこむことで、便座５ａに座ることができる。
【００１７】
ようするに、手すり１０が便器５に向けて凸湾曲した湾曲部２０を備えているため、手すり１０、便器５間の距離はより短くなり、体の不自由な者にとって、手すり１０を把持した状態での回転動作がしやすくなり、感嘆に便座５ａに座ることができる。
【００１８】
また、この湾曲部２０は手すり１０の終端部１０ａにあり、湾曲部２０の終端２１から便器５の側方まで延びる延長部は形成されていない。そのような延長部が延設されていないため、便器５に座るために便利な把持位置を、便器５により近い部位Ｐ部に設けることができる。また、延長部がないため便器の側方空間を広くすることができる。
【００１９】
なお、便器５に座るために便利な把持位置が確保されれば、湾曲部２０から離間した位置に独立した側方手すり１５（２点鎖線で図示）を設けてもよい。また、入り口７側の長辺壁面３の便器５側方には他の側方手すり１５が設けてある。
【００２０】
また、湾曲部２０は終端２１が壁面に固定されていなくてもよく、当接あるいは近接したものであってもよい。湾曲部２０の凸湾曲部の突出程度にもよるが、終端２１が壁面よりも大きく離間することで、便器により近い部位Ｐ部が便器５より遠ざかる（入り口に近づく）位置とならないようにすることが望ましい。例えば、図１のＰ部が湾曲部の終端であれば、把持位置は便器からより離れた位置となり、便座５ａへは当然に座りにくくなる。
【００２１】
また手すり１０は、図２（ａ）（ｂ）に示すような形状とされることが望ましい。つまり、図２に示したものは、手すり１０の上面１３が略平坦面とされ、壁面を向く面の上部には壁面側に突出した指掛け部１４を有している。この手すり１０の上面は幅寸法を３０ｍｍ以上とすることが、指先を指掛け部１４に引っ掛け、手のひらを上面１３に密着させて、安定して手すり１０を把持するためには望ましい。
【００２２】
また、手すり１０は、図３（ａ）（ｂ）に示した形状のものや、図３（ｃ）〜（ｅ）に示した形状のもののように、湾曲部２０が握り棒を兼ねたタオル掛け２５を有したものであってもよい。
【００２３】
図３（ａ）に示した手すり１０は、湾曲棒状のタオル掛け２５が湾曲部２０の外側（便器５側）に突出するように設けられている。この手すり１０の湾曲部２０は上部２２と、その下方の下部２３とを有し、下部２３の外面が上部２２よりも凹み段差形状とされており、下部２３の外面側には外側に間隔を空けてタオル掛け２５が固定されている。
【００２４】
図３（ｂ）に示すように、湾曲部２０の上部２２の下端とタオル掛け２５と高さ位置間寸法、および下部２３の外面とタオル掛け２５との水平方向間寸法は、いずれの隙間寸法Ｓ１、Ｓ２も３０ｍｍ以上とされている。そのような隙間があるため、タオルを通しやすく、手指によるタオル掛け２５の把持もしやすい。このタオル掛け２５を湾曲部２０の代わりの把持部として用いることで、手すり１０、便器５間の距離を縮めることができ、小柄な者にとって使いやすくなる。
【００２５】
特に、図３（ａ）に例示したタオル掛け２５は、その中央部が下部２３の外面に接続部２５ａで連結されている。そのため、その接続部２５ａの一方の隣接部２５ｂ（便器５に近い側）を手すり用の握り棒として使用でき、他方の隣接部２５ｃをタオル掛けとして使用することができる。
【００２６】
また、図３（ｃ）に示した手すり１０は、湾曲棒状のタオル掛け２５が湾曲部２０の下側に突出するように設けられている。このタオル掛け２５は、図３（ｄ）に示すように、湾曲部２０の下端との間に３０ｍｍ以上の隙間Ｓ３が形成されており、タオルを通しやすく、手指による把持もしやすい。また、図３（ｃ）に例示したタオル掛けは、図３（ｅ）に示すように前方にも突出しており、特に把持がしやすい。
【００２７】
ついで、他の実施形態に係る手すりの設置構造について、図４を参照しながら説明する。この実施形態において、トイレ室１の各部や便器については、図１のものと同一の符号を付してその説明は省略する。
【００２８】
図４の手すり１０の平面視における配置は、図１のものとおおむね同様であり、短辺部１１と長辺部１２と湾曲部２０とを有してなる。手すり１０の湾曲部２０の位置やその平面視の形状、便器５により近い部位Ｐ部の位置についても、図１のものとおおむね同じである。この手すり１０は、棚部３０と一体化されている点で図１のものと相違する。
【００２９】
図４に示した棚部３０は、入り口７側より延びた手すり１０の下方に配され、開き戸３１付きとされる。また、この棚部３０は図４（ｃ）に示すように手すり１０を一体化されており、手すり付き棚とされる。
【００３０】
手すり１０は指掛け部１４を有し、その上面１３の幅寸法は３０ｍｍ以上とされることが望ましい。また、手すり１０は下方の棚部３０と、木質材、合成樹脂材などで一体に成形されることが望ましい。また、湾曲部２０に囲まれた、棚部３０の上面部の上方には手洗いボウル１６が配されている。
【００３１】
このように手すり１０が棚部３０に一体化されているため、色などを合わせることで、手すりを目立ちにくくでき、介護用トイレ感を出すことなくデザイン性を向上させることができる。また、手すり１０が開き戸３１の取っ手３２近傍にあるため、収納物の出し入れは手すり１０につかまりながらでき、体の不自由な者にとって転倒の心配はなく安全である。なお、短辺壁面２側の棚部３０についても取っ手（不図示）が設けてあり、同様に操作はしやすい。もちろん、湾曲部２０による便座５ａへの座りやすさは図１のものと同様である。
【００３２】
つぎに、さらに他の実施形態に係る手すりの設置構造について、図５を参照しながら説明する。この実施形態において、トイレ室１の各部や便器については、図１のものと同一の符号を付してその説明は省略する。
【００３３】
図５の手すり１０の平面視における配置は、図１のものとおおむね同様であり、短辺部１１と長辺部１２と湾曲部２０とを有してなる。湾曲部２０の位置や平面視の形状についても、図１のものと同じである。この手すり１０は、壁面に、略水平方向に延びるように設けた堀込溝４０に設けてある点で図１のものと相違する。
【００３４】
堀込溝４０は室外方向に掘り込んだ、例えば１１４ｍ以下の寸法Ｓ４の深さの溝であり、その深さ範囲内の空間に手すり１０の大部分が配されており、湾曲部２０の一部（突出部分）が溝開口よりも突出している。また、湾曲部２０に囲まれるように手洗いボウル１６が配されている。図５の例では、手すり１０は、堀込溝４０の下側溝壁４１に接続部１０ｂを介して固定されている。
【００３５】
このような設置構造であるため、使用者は、堀込溝４０に手を入れ手すり１０を把持しながら歩行すればよい。このような設置構造によれば、手すり１０の壁面からの突出部分を小さくでき、そのため歩行や便座５ａへの移動において体が手すり１０にぶつかることを防止でき、美観が悪くなることも防止できる。また、湾曲部２０の一部が壁面よりも突出しているため、体を湾曲部２０の突出部分で支えながら手洗いすることができる。また、湾曲部２０による便座５ａへの座りやすさは図１のものと同様である。
【００３６】
以上の図４および図５に示した手すりにも、図３に示したような、握り棒を兼ねたタオル掛け２５を備えたものであってもよい。
【００３７】
上述した実施形態に係る手すり１０としては、平面視でおおむね同形状の手すり１０を示したが、例えば図６（ａ）〜（ｃ）に示したような形状のものであってもよい。
【００３８】
図６（ａ）のものは、湾曲部２０が半円形状ではなく、便器５側に長く突出した形状とされている。湾曲部２０が便器５側に大きく突出しているので、便座５ａへの移動がしやすい。また、手洗いボウル１６は便器５の側方に設けてある。
【００３９】
図６（ｂ）のものは、湾曲部２０が半円形状ではなく、図１に示した手すり１０と比較して、湾曲部２０を除く長辺部１２が長辺壁面３より離れており、その終端より湾曲部２０が延びている。手すり１０が壁面よりも離れた位置に配されているため、手すり１０を短くでき、歩行距離も短くできる。平面視で広いトイレ室１に採用すれば効果的である。なお、手洗いボウル１０は湾曲部２０の内側に配されている。
【００４０】
図６（ｃ）のものは、湾曲部２０が円環状に形成されている。このものも、便器５側に大きく突出した形状とされている。湾曲部２０が大きく突出しているので、便座５ａへの移動がしやすい。手洗いボウル１６は便器５の側方に設けてある。
【符号の説明】
【００４１】
１          トイレ室
２          短辺壁面
３          長辺壁面
５          便器
１０        手すり
１０ａ      終端部
２０        湾曲部
２５        タオル掛け
３０        棚部
４０        堀込溝
【図１】
2020116141.tif 000003
【図２】
2020116141.tif 000004
【図３】
2020116141.tif 000005
【図４】
2020116141.tif 000006
【図５】
2020116141.tif 000007
【図６】
2020116141.tif 000008